(57)【要約】【課題】  アダプタ（８−２）が、投写システム（７−１）など携帯型視覚表示器のユーザに、各種プレゼンテーション又は視覚表示付属品を選択、取付け、運搬及び使用するため便利な手段を、提供する。一実施例において、本発明は書類鞄の形を有し、必要付属品全部を何時でも使用可能の詰合せとして含む。アダプタには、ラップトップ型コンピュータ、ビデオ会議装置又はＤＶＤプレーヤなどの媒体源が収容されるので、ユーザはこれらをモジュラー方式で入れ換えて即座に作動させることが出来る。
2005517986.tif 000002
【特許請求の範囲】
【請求項１】
投写装置を有する視覚表示装置用アダプタであって、
前記アダプタを視覚表示装置に取付けるための取付け手段であって、アダプタ外部に設けられた取付け手段と、
視覚表示、投写、又はプレゼンテーションの目的のため必要な付属品の運搬及び／又は取付けのための付属品収納手段と、
データ、ビデオ、又はその他の画像信号を視覚表示装置に接続するための信号接続手段と、
を含むアダプタ。
【請求項２】
信号接続手段が、電気接点である請求項１に記載のアダプタ。
【請求項３】
信号接続手段が、無線接続である請求項１に記載のアダプタ。
【請求項４】
視覚表示装置運搬の間、信号接続手段が接続のままであることが出来るよう、アダプタが調整される、請求項１又は２に記載のアダプタ。
【請求項５】
付属品収納手段が、アダプタと分離可能である先行請求項のいずれかに記載のアダプタ。
【請求項６】
アダプタ組立体が、アダプタと付属品又は付属品収納手段との間に取付け手段をさらに含み、それによりユーザが前記の付属品又は付属品収納手段をアダプタ組立体に装備又は構成することが出来る請求項５に記載のアダプタ。
【請求項７】
アダプタが、収納組立体を受け入れる容器を含む先行請求項のいずれかに記載のアダプタ。
【請求項８】
収納組立体が、少なくとも部分的に容器から除去可能である請求項７に記載のアダプタ。
【請求項９】
付属品収納手段が、その回りにケーブルを収納することの出来るフレームと、開口部のある囲いと、扉又は蓋要素のある囲いと、仕切りのある囲いとのうち１つ以上を含む先行請求項のいずれかに記載のアダプタ。
【請求項１０】
付属品収納手段が、電力及び／又は信号ケーブル、視聴覚媒体又はその他の画像信号源、通信装置、音響システム、電源、遠隔制御装置、コンピュータ付属品、又は位置決め装置を収納する先行請求項のいずれかに記載のアダプタ。
【請求項１１】
アダプタと付属品収納組立体とが、付属品又は付属品収納組立体の接続のため、信号及び／又は電気の相互接続のための手段を含む先行請求項のいずれかに記載のアダプタ。
【請求項１２】
アダプタと付属品収納手段とがそれぞれ、信号又は電気を相互接続することの出来る共同接点手段を含む先行請求項のいずれかに記載のアダプタ。
【請求項１３】
付属品収納手段が、引出組立体である先行請求項のいずれかに記載のアダプタ。
【請求項１４】
付属品収納手段が、除去可能モジュールである先行請求項のいずれかに記載のアダプタ。
【請求項１５】
付属品収納手段が、前記付属品収納手段に取付けられる副収納組立体を含む先行請求項のいずれかに記載のアダプタ。
【請求項１６】
付属品収納手段と副収納組立体とがそれぞれ、信号又は電気を相互接続することの出来る共同接点手段を含む請求項１５に記載のアダプタ。
【請求項１７】
アダプタに、複数の付属品収納手段を積重ね方式で同時に取付けることが出来る、先行請求項のいずれかに記載のアダプタ。
【請求項１８】
付属品収納手段が、組立式投写スクリーンを含む先行請求項のいずれかに記載のアダプタ。
【請求項１９】
握り又はキャリングストラップをさらに含む先行請求項のいずれかに記載のアダプタ。
【請求項２０】
アダプタが、投写装置を傾けるための手段を含む先行請求項のいずれかに記載のアダプタ。
【請求項２１】
投写装置を取付ける上部組立体と下部基礎部分とを含み、上部組立体と下部基礎部分とは接合手段を用いて接続され、接合手段は投写装置を下部基礎部分に対し昇降及び／又は傾斜させることが出来る先行請求項のいずれかに記載のアダプタ。
【発明の詳細な説明】
【技術分野】
【０００１】
本発明は、携帯視覚表示に関するものであり、特に携帯視覚表示の付属品取付けシステムに関する。
【背景技術】
【０００２】
プレゼンテーションと視覚表示は、世界的に重要な市場を形成しつつある。携帯ディスプレイの場合、小型投写機による投写が一般的になっているが、これには、正面の離れた位置にある通常白色か反射性材料で覆われたスクリーンに投写する方法も含まれる。
【０００３】
プレゼンテーションと視覚表示技術には、例えばビジネス、教育、研修、テレビ会議、遠隔医療など様々な形態があるが、携帯投写技術に依存する部分は大きい。これらの機器は非常に小さいが、離れた位置にある正面スクリーン上に、解像度と画質の優れた画像を投写することができる。投写される画像信号又はデータは、アナログの場合もデジタルの場合もあり、通常は媒体ソースから生じるものであるが、それにはラップトップＰＣ、テレビ会議システム、ＤＶＤプレーヤ、あるいは他の携帯画像／ビデオソースなどが考えられる。
【発明の開示】
【発明が解決しようとする課題】
【０００４】
投写技術の進歩にも拘わらず、画像の投写プロセス自体は、移動プレゼンテーションや移動表示をするために、ユーザは依然として大きな労力を求められる。携帯投写機を使用してプレゼンテーションや視覚表示をする場合に、ユーザが通常経験するのは、殆どが部屋の状況、機器の設定とプレゼンテーションの実行に関する問題である。全ての機器の設定、接続、調整および配置には、多くのユーザが今なお大きな不便を感じている。投写機を使いたがらないユーザが多い理由は、時間や機器についてのある程度の基本的な知識が要求されることに加えて、こうした使いにくさがある。以下に、解決しなければならない問題のいくつかを述べる。
【０００５】
環境
昼間明るいところではいつでも、白いスクリーン上に投写する際には照明が問題になる。小さな部屋で投写機を使用する際にしばしば問題になるのは、スクリーンと投写機間に距離をおく必要があることである。ユーザは、スクリーンが設備された部屋を求めるため、スクリーンまたは利用可能な白い壁の必要性が大きな制約になり、さもなければ不便でかさばる装置を持ち歩かなければならない。
【０００６】
設定
投写機は、開梱して保護ケースまたはバッグから取出し、レンズのキャップを外して所定の位置に設置する。同様にして、電源コードを袋から出して投写機に接続するが、短すぎて壁のコンセントまで届かないことも多い。
【０００７】
信号や（典型的にはコンピュータのような）データソースを備えた媒体装置は、別梱包で個別に持ち込み開梱しなければならず、通常は電力ケーブルで別のコンセントに接続する必要があり、媒体を用意して、取出した信号ケーブルで接続する。
【０００８】
携帯スクリーンは、使用可能な空間の確保が必要であり、スクリーンはセットして位置決めする必要がある。専用のプレゼンテーションルームの中でなければ、投写機はスクリーンまで遮るものがない光路を確保して設置する必要があり、ズームや水平・垂直方向の画像調整と焦点調整を行い、最後にキーストーン補正を実施して、スクリーン上に映る画像の長方形の歪みを防ぐ。
【０００９】
部屋が大きい場合でも、投写機は出席者のテーブルの中央に置かれ、ケーブルはそのテーブルの上を通りテーブルから離れた媒体まで達する。投写機の遠隔操作装置と、指示具は通常持ち歩かれており、特に置き場所が決まっているわけではない。更に、プレゼンテータはその他無線マウス、イントラネット接続機器、マイク等を持ち歩くか準備しなければならず、そうでなければ音響システムが必要となる。
【００１０】
プレゼンテーションが終了すれば、上記の全ての装置類は再梱包しなければならない。
【００１１】
ユーザの利便性
上記は現行の携帯投写機のかなり多くの不便な点を示しており、その理由は「プラグ・アンド・プレイ」に対応しておらず、準備のために多少の知識とある程度の時間を要することが挙げられる。投写機が利用可能な場合でも、多くの潜在的ユーザが使用したがらないのは、このような様々な理由があるためである。
【００１２】
従来のシステムに対して、数多くの改良の試みがなされて来た。例えば、従来型の投写装置の中には、密封型でケースの中に入れて使用し、投写用に別の構成要素を備えたものもある。
【００１３】
米国特許５，２１８，３８９号（Ｈａｒｌｏｎ他）では、携帯対話型マルチ媒体・プレゼンテーション装置を開示している。この発明では投写装置とコンピュータ機器を持ち運び可能なケースについて言及している。
【００１４】
英国特許８９２，８０９号（Ｖｏｉｇｔｌａｎｄｅｒ  Ａｋｔｉｅｎｇｅｓｅｌｌｅｓｃｈａｆｔ）は光学式投写機の場合について開示している。
【００１５】
ＷＯ９９／４６９３２号（Ａｌａｎ  Ｍａｄｄｏｃｋ）は、折畳み式プレゼンテーション・スクリーンを備えた携帯視覚表示に関するものである。
【００１６】
上記装置はそれぞれ、特定の対象物を携帯視覚表示装置と称するために、投写装置と他の特定の機器や装置（例えばコンピュータ画面、可動型隔壁、及び折畳み式画像スクリーンなど）を同一ケースの中に収納している。
【００１７】
ＷＯ９９／４６９３２号の発明（発明者は本願の出願人）は、同様の問題に部分的に取り組んでおり、折畳み式スクリーンのケースの中に入れて、投写機の付属品を持ち運ぶ選択肢について述べているが、このケースは投写装置も収納している。本発明で提案しているこの選択肢のソリューションは、いくつかの問題に取り組んでいるに過ぎず、かさばるケース、使いにくさ（付属品の持運び）、構成しにくさ（唯一小さな「プラグイン」モジュールだけが実際に設定されている）といった本来の問題は依然として残存している。
【００１８】
従来技術に基づく解決方法では、ユーザのニーズに応じた投写装置の柔軟性ある構成方法は全くユーザに提案することはできない。交換が可能なように追加の付属品の取付けや運搬方法を選択し、利用しやすいようにケーブルを接続済みにして持運びできることが望ましい。そのような付属品には媒体「モジュール」が含まれており、プレゼンテーションもしくは視覚表示のために画像／ビデオソースや他のオプションの付属品が含まれる。媒体として最も一般的なのはラップトップＰＣであり、そのような大きな機器を運搬して容易に使いこなせるソリューションが必要である。
【００１９】
従って従来の技術に関連した１つ以上の欠点を除去するか、少なくとも緩和することができる携帯ディスプレイ・アダプタを提供することが望まれる。
【００２０】
本発明の目的の１つは、携帯投写機の、多岐にわたる典型的な不都合を低減し、あるいは除去する方法を提供することにある。
【００２１】
本発明のさらなる目的は、大部分の一般的用途（事務処理、専門職務、販売促進、市場調査、広告宣伝、通信、研修又は教育）における不都合を回避し、自分の要求に応じてユーザが構成することの出来る自律的解決策を提供することである。
【課題を解決するための手段】
【００２２】
本発明の第１の特徴にしたがうと、投写装置を有する視覚表示装置用アダプタであって、前記アダプタを視覚表示装置に装着するための装着手段であって、アダプタ外部に設けられる取付け手段、視覚表示、投写、又はプレゼンテーションの目的に必要な付属品の運搬及び／又は取付けのための付属品収納手段、データ、ビデオ、又はその他の画像信号を視覚表示装置に接続するための信号接続手段を含むアダプタが提供される。
【００２３】
信号接続手段は、電気接点でもよい。
代わりに、信号接続手段は、無線接続でもよい。
【００２４】
１実施例においては、視覚表示装置運搬の間、アダプタは信号接続手段が接続されたままであって良いように構成される。
【００２５】
付属品収納手段は、アダプタと分離可能であってもよい。
アダプタ組立体は、アダプタと付属品又は付属品収納手段との間に取付け手段をさらに含んでもよく、それによりユーザが前記の付属品又は付属品収納手段をアダプタ組立体に取付け又は構成することが出来る。
アダプタは、収納組立体を受入れる容器を含んでもよい。
収納組立体は、少なくとも部分的に容器から取出し可能であることが好適である。
付属品収納手段は、その回りにケーブルを収納することのできる枠、開口部のある囲い、扉又は蓋体のある囲い、又は仕切りのある囲い、のうち１つ以上を含んでもよい。
付属品収納手段は、電源及び／又は信号ケーブル、視聴覚媒体又はその他の画像信号ソース、通信装置、音響システム、電源、遠隔制御装置、コンピュータ付属品、又は指示具を収納してもよい。
付属品収納組立体は、付属品又は付属品収納組立体の接続のため、信号及び／又は電源を相互接続する手段を含むのが好適である。
任意に、アダプタと付属品収納手段とはそれぞれ、信号又は電源を相互接続することの出来る協働接点手段を含んでもよい。
付属品収納手段は、引き出し組立体でもよい。
付属品収納手段は、着脱可能モジュールでもよい。
付属品収納手段は、前記付属品収納手段に取付けられる補助収納組立体を含んでもよい。
付属品収納手段と補助収納手段とはそれぞれ、信号又は電源を相互接続することの出来る協働接点を含むことがある。
アダプタには、同時に複数の付属品収納手段を積重ね式に取付けられるようにしてもよい。
任意に、付属品収納手段は、折畳み式投写スクリーンを含んでもよい。
アダプタは、さらに取っ手又は運搬用吊り紐を含んでもよい。
アダプタは、投写装置を傾斜させる手段を含んでもよい。
【００２６】
１実施例において、アダプタは、投写装置が取付けられた上部組立体と、下部基板部分とを含み、上部組立体と下部基板部分とは接合手段により接続され、接合手段は投写装置を下部基板部分に対し昇降及び／又は傾斜させることが出来る。
【００２７】
アダプタは、投写装置に対する取付け具を備えており、投写／プレゼンテーション／視覚表示に必要な付属品取付けのための共通担体を備える。
【００２８】
アダプタは、迅速で容易なプレゼンテーション／視覚表示をすることが出来るよう、ユーザが何時でも使える形で機器を構成するための手段を備えている。これには、共通取付け手段及び、共通のフォーマットの各種付属品収納装置が含まれ、ユーザが任意に互換性のある付属品を取付けることが出来る。
このような付属品と収納装置には、投写装置の画像又はビデオ信号として機能する媒体が含まれる。
このような付属品と収納装置には、投写装置（即ち、ラップトップ型コンピュータ）より大きい媒体が含まれる。
このような媒体取付け手段には、投写装置に手軽にあるいは自動的に、画像を供給するため必要な電源及び信号の接続が含まれる。
【００２９】
アダプタ組立体が、通常の保護用運搬袋又は輸送ケースに代わって、投写装置に更なる保護を与えることは、本発明の望ましい目的である。
【００３０】
付属品には、スクリーン装置を運搬する手段が含まれる（ユーザが、使用可能なスクリーンがあることに依存したり、あるいはそれを持ち込まなくて済む）。
【００３１】
本発明の各種実施例は、以下の特徴と利点を提供する。
投写装置用アダプタは、機械的及び電気的取付け手段を特徴とする。ユーザは、各種付属品を装着して、自分の必要に応じたアダプタを構成することが出来る。
【００３２】
本発明の１実施例は、如何なる種類の投写機又は運搬ケースからバッグにいたるまでの如何なる装置でも、開いたり開梱することなく、プレゼンテーション／視覚表示を実行し操作しうることを特徴としている。これは、投写装置に如何なる接続もせず、媒体ソースに信号又は電源を接続せず、如何なる別個の音響システムをも接続せずに実現出来る。したがってこのシステムは、ユーザの多大な労力は一切必要とせず、瞬時に操作可能になり、さらに他の方法では得られない多数の望ましい特徴をユーザに提供する。
【００３３】
この投写装置は、アダプタ組立体に取付けられるか又はそれに囲まれたままで操作することが可能で、しかも操作のための投写装置へのあらゆる接続は、運搬中も接続されたままである。
したがって、携帯視覚表示装置用アダプタ組立体は、スクリーン上に画像を写す光学式投写装置のための取付け手段を含む。
【００３４】
アダプタ組立体は、投写装置ケーブルを常時接続状態に構築することができる。これらには、電力ケーブル及び信号ケーブルが含まれる。これらのケーブルは、電源又は媒体ソースへの外部接続のため、随時引出せるように収納することができる。
このアダプタにより、ユーザは付属品又は付属品収納装置を、好適には共通の互換性のあるフォーマットで取付けることができる。付属品は各種型式のものでよく、画像信号を供給する各種媒体ソースを含む。
アダプタ及び付属品収納装置は、付属品収納装置が正しい位置に装着された場合に、信号と電源の自動的接続を可能にする手段を含んでもよい。
【００３５】
本発明の特殊実施例では、投写組立体を基板に対し傾斜させることが可能なので、さらに鏡を追加して取付けることにより、スクリーンまでの距離が短縮され、光路が上方に引き上げられ、テーブルの障害及びキーストーン効果を避けることが出来る。
アダプタは、折畳みスクリーン組立体を一体化して含むか、又は組立式にして取付けることができる。このスクリーンは、超大型スクリーンモニタ／テレビ装置と同様に背面投写装置として操作することができる。
【００３６】
前記の目的にしたがって、投写装置の既存の如何なるケースも、部分的に又は全体的にアダプタ組立体として使用できるので、付属品又は付属品収納装置を直接取付けることが可能になる。
前記のアダプタ組立体は、運び易くするため持ち運び用取っ手を含み、また場所間の運搬の際、投写装置に対する更なる保護をもたらす設計にすることができる。
【００３７】
本発明の可能な実施例は、市販投写機に対する任意選択付属品としてのものである。
【００３８】
本発明のその他の補助的な特徴は、以下の記述を読むことにより明らかになるであろう。ここで、例示のみの意味で、以下の図面を参照しつつ本発明の各種実施例を記述する。
【発明を実施するための最良の形態】
【００３９】
投写ユーザの不便を軽減又は除去する目的の範囲内で、本発明は、投写、プレゼンテーション又は視覚表示のための必要に応じて、投写装置に各種付属品を取付けることの出来るアダプタ手段を提供することを基礎とする。このアダプタ手段はまた、投写装置に対する保護のためなど、別の目的にも役立つ（したがって、余分な運搬ケースは不要になる）。
【００４０】
この用途の脈絡の中で、付属品とは、任意の周辺機器又は関連品目又は装置であって、投写装置とは別個のもので、表示又はプレゼンテーションの操作又は制御のため不可欠であるか又は任意選択で必要とされるものである、と定義する。付属品は、データ又は信号源又は収納部であるか、そうでなければ追加の機能を提供する。このような付属品には、何よりも、ケーブル、信号源と媒体、遠隔制御装置又は位置決め装置、レンズアダプタ、通信装置、マイクロホン、及び音響システムが含まれ、前述の品目のいずれかに関する運搬手段が含まれることもある。
【００４１】
図１及び２は、具体的に本発明と関連する訳ではない一般的図面であるが、携帯型のプレゼンテーション及び視覚表示をおこなう従来の機器の概略と典型的操作環境を示す。図３乃至６は、例示のみの意味で示す一般図面であって、装置を運搬又は移動し、プレゼンテーション又は表示を実行する各種手段を示す。これらは閲覧者への情報提供の手段であって、必ずしも本発明の実施例と見なすものではない。
【００４２】
図１は、携帯型投写機を用いるプレゼンテーション又は視覚表示を行うため、運搬して設置する必要のある一般的装置を示す概略斜視図である。この場合、媒体（画像信号源）はラップトップ型コンピュータである。投写装置（１−１）、ラップトップ型コンピュータ（１−２）、電力ケーブル（１−３）、及び信号ケーブル（１−４）が、プレゼンテーションのための基本品目である。運搬用バッグ（１−５）は、投写装置と他の付属品を運ぶため必要である。運搬用バッグ（１−６）は、コンピュータを、その電源アダプタなど、付属品と一緒に運ぶため用いられる。他の多くの付属品（必ずしも示されていない）遠隔制御器、レンズ保護キャップ、位置決め装置又は遠隔作動コンピュータマウスもまた運搬することがある。
【００４３】
図２は、大きい室内で携帯型投写装置を用いてプレゼンテーション行うときの一般的設定を示す概略斜視図である。携帯型投写機（２−１）が、ケーブル（２−４）を通じて画像信号を供給するラップトップ型コンピュータ（２−２）とともに、テーブルの中心に据え付けられている。遠隔位置決め装置（２−５）と携帯型スクリーン（２−６）もまた、遠くの壁付きソケット（２−７）に接続される電力ケーブル（２−３）とともに示す。装置準備には数分を要し、最終的な装備構成は乱雑で本格的でない。画像高さ、ズーム、焦点合わせ、キーストーンの調節にも時間を要する。投写機前で投写光路の中にあるすべての障害物を除去しなければならない。電力ケーブルに躓くことがある。
【００４４】
図３は、投写装置と付属品の運搬ケースと同様の外観を有する組立体として示される、好適解決策を示す概略斜視図である。全体の外観は、出張セールスマン、学校教師、訓練インストラクタ又はビデオ会議をしようとするグループなどが、ある場所から別の場所に運ぶ間に使用するようなショルダバッグ又は運搬ケース（３−１）とすることが出来る。
【００４５】
図４は、図３のものと同様の組立体を示し、組立体とそれを持運ぶ手段の相対的な大きさを示す概略斜視図である。この例では、幹部社員用小型手持ち書類鞄位に小さい。
【００４６】
図５は、図３のものと同様のケース（５−１）を示す斜視図であって、コンピュータ（５−２）が接続のままで何時でも使用することの出来るようになっている図２に示す情況との関連で用いられる。この図の好適解決策においては、運搬ケースに引出要素（５−３）が取付けられて、コンピュータ用の収納組立体の役割を果たしており、コンピュータを使用のためには引出要素から引出し、ある場所から別の場所に運ぶためには元に戻すようになっている。このときコンピュータは接続のままなので、プレゼンテーション又は表示は殆ど瞬時におこなわれる。
【００４７】
図６は、図５のそれと同様で、図２に示す情況との関連で用いられる組立体を示す斜視図である。ケース（６−１）は、ＤＶＤプレーヤの形の代替媒体を収容する引出要素（６−２）を含む。これは、スクリーン付属品（６−３）もまた収容され、それが取付けられることによりその複合組立体が、大型モニタ表示スクリーン（６−４）と同様の方法で働くので、遠く離れて嵩張る投写スクリーンの必要がなくなる。更なる利点は、このようなスクリーンを背面投写で使用するとき、通常の部屋のようなもっと一般的な照明状態で使用することが出来ることである。
【００４８】
以下の図面は、本発明の各種要素、組立体及び実施例を示すことを目的とする。
図７は、投写装置（７−１）を含む視覚表示器をアダプタ組立体（７−２）に取付けることができる実施例を示す斜視図である。アダプタ組立体は、簡単な枠要素で、作動のため投写装置に取付ける必要のある信号接続（７−３）と電源接続（７−４）を含む。枠要素は、輸送のためケーブルを回りに巻付けるケーブル収納枠要素を設けることにより、ケーブル用収納装置として働く。アダプタ組立体は、窪み又は通気格子（７−７）に係止し、示される矢印の方向に引くことによりユーザが容易に開くことの出来る簡単な止め具（７−６）を用いて、投写装置に取付けることが出来る。
【００４９】
図８は、図７の実施例と同様であるが、別の視点からの斜視図である。投写装置（８−１）とアダプタ組立体（８−２）との間の信号接続手段が、ここでは、固定相手コネクタ（８−３）を含む協働接点の組として示されている。この配置は、アダプタを投写装置に取付けるとき、投写装置に対する接続が自動的におこなわれるようになっている。この実施例はまた、アダプタ組立体（８−２）の枠要素に対して伸張し、側面を形成して蓋体（８−４）を取付けることの出来る部分をも含んでいるので、ユーザが開くことのできる囲いとなっている。このアダプタ組立体又は蓋体には、握り要素（８−５）を付けることができるので、囲いは信号ケーブル（８−６）と電力ケーブル（８−７）又は遠隔制御装置（８−８）など別の付属品のための収納具として用いられる。この図はまた、雑多な付属品のための大型容器の形の簡単な付属品収納要素（８−９）をも示す。これは止め具手段（８−１０）を用いて下から投写装置とアダプタ組立体に取付ける。この場合の投写装置のケースは、このとき部分的に（又は全体で）付属品収納要素のための取付け手段として働くことが認められる筈である。加えて、コネクタは、光又は高周波送受信装置など異なる形のものとすることができる。
【００５０】
図９は、投写装置を囲み付属品を納めることのできるケースを含む視覚表示装置を示す分解斜視図である。この図は、本発明の実施例とは見なされないが、明確にするため含める。
【００５１】
投写装置（９−１）は、クリップ（９−３）を用いてアダプタ組立体（９−２）に取付ける。別個のケーブル収納枠要素（９−４及び９−５）により、電力ケーブル及び信号ケーブル（９−６及び９−７）が巻き取られ、組立体は握り（９−８）を用いて運搬される。このアダプタ組立体は、示される矢印方向に開く蓋要素（９−９）により形成される囲いの中に、ケーブル及びその他の付属品を運ぶための手段を含むことができる。アダプタ組立体は、運搬の間、カバー要素（９−１０）を用いて投写装置を保護し支持する手段を含むことができる。これは、任意の適切な手段で取付けることができ、通気用開口部を含み投写画像を出すための開口部と扉を含むことができる。
【００５２】
図１０は、図８と図９に示す機能が幾つか組み合わされているものの透視図である。アダプタ組立体（１０−１）は、蓋（１０−２）付き付属品収納具として働くカバー要素及び囲いを含む。電力ケーブル（１０−３）及び信号ケーブル（１０−４）は、前述の囲いに入れて運ばれるので、囲いには接続手段（１０−５）が含まれ、必要に応じて信号ケーブルを着脱することが出来る。
【００５３】
図１０はまた、図８のアダプタ組立体と同様の付属品収納組立体代替案をも示す。ここでは付属品収納組立体（１０−６）は、クリップ台座（１０−７と１０−８）と位置案内要素（１０−９）及びクリップ（１０−１０、１つだけ見える）を介してアダプタ組立体（１０−１）に取付ける。このクリップは、窓（１０−１１）を通してクリップを押すことにより、ユーザが解放することが出来る。付属品は、総体で又は取外し可能の方法で、蓋を経由して囲いの中に収納することが出来る。この囲いは、実質的に一般付属品収納室として働き、またＰＣ−カードリーダ又は小型音響システムなど、一定の媒体を含むことがある。
【００５４】
図１１は、正面図解からの斜視図で、基本的付属品又は媒体装置をいっそう便利に収納することの出来る本発明の更なる実施例を示す。視覚表示装置（１１−１）とアダプタ（１１−２）は図８と同じで、「Ｌ」型の形になっており、図１０と同様の取付け手段（１１−３）と案内（１１−４）を有する。視覚表示装置とアダプタは、接合プラグつまり共同電気接続を経由して信号を交信する。しかし、これらは代わりに光信号又は無線信号を用いて交信することもできる。
【００５５】
アダプタは、それぞれが異なる付属品又は媒体装置を含む収納モジュール（１１−６）を受入れる容器（１１−５）１つ以上を含むことが出来る。モジュール及び容器は、モジュール（１１−７）の図示のように、プラグ要素（１１−８）を用いて信号及び／又は電力を接続することの出来る接合プラグつまり共同接点を有することができる。
【００５６】
図１２は、図１１に示すようなアダプタを示す前面斜視図である。このアダプタ（１２−１）は、付属品又は媒体源（１２−２）を、一部又は全体を引出すことの出来る引出（１２−３）の中に収容することが出来る。付属品、媒体及び／又は滑走機構（１２−４）を有する引出もまた、それ自体入れ換えることが出来る。
【００５７】
図１３は、本発明の更なる実施例の前面斜視図である。ここでは、視覚表示装置（１３−１）が、スライドクリップ（１３−３）と解除ボタン（１３−４）又は、アダプタ組立体の下側にある受入れ手段に係合する別の適切な手段を介して、視覚表示装置の下に置かれるアダプタ組立体（１３−２）に垂直に取付ける。付属品収納具は、付属品又は媒体源のための簡単なトレイ又は容器であるか、さもなければコネクタブロック（１３−５）を経由して電気接続をおこなうことが出来る。下部取付けアダプタを積み上げて、多重付属品及び／又は媒体収納具（図示せず）を準備することが出来ることもまた認められる筈である。
【００５８】
大型媒体を運搬するのが望ましいことは理解されるであろう。そこで、更なる解決策を提案する。
【００５９】
図１４は、本発明の一実施例の分解斜視図の一部である。付属品収納組立体（１４−１）が、ここでは、一部又は全体を引出すことの出来る引出組立体（１４−２）とその案内又は滑走機構（１４−３）の形の副収納方法であって、付属品収納組立体の同様の受容要素の中に係合するものを更に含む。また、媒体源（図示せず）からの信号取付けのためのケーブルとプラグをも示されている。付属品収納組立体とアダプタ組立体との間の電力又は信号の容易な接続を可能にするため、接合プラグ又は同様の接点組立体（１４−５）（及びアダプタ組立体−視界には見えないが矢印で示す）を付属品収納組立体の一部として含むことができる。
【００６０】
図１５は図１４の引出要素の斜視図であって、引出要素が、ここではラップトップ型コンピュータ（１５−２）として示される、取外し可能媒体源を含む。引出には十分な空間を持たせて、電力アダプタとケーブル（１５−３）を収納し、常時使用のためこれらを完全に接続するための余分な収納領域を持たせることができる。
【００６１】
図１６は、図１４及び１５と同様の引出要素の斜視図で、ここでは、引出組立体（１６−１）が複数の付属品又は媒体源を、総体として又は取外し可能の方法で収納するので、それにより媒体は操作上必ずしも取外す必要はない。この図は一例として、ＤＶＤプレーヤ（１６−２）とその取外し可能な遠隔制御装置及び音響システムとそのコントロールを示す。
【００６２】
図１７は、図１４、１５及び１６と同様の引出要素の透視図で、ここでは、引出組立体（１７−１）が、統合テレビ会議システムを収容し、隣接収納空間（１７−２）にマイクロホン（１７−３）とカメラの折畳み式スタンド（１７−４）とともに収容する。
【００６３】
図１３乃至１７に示す付属品収納組立体の多数を互いの上に積み重ねて配置することが出来ることは、注目すべきである。これは、上述のような付属品収納組立体（図１３）の下側に含まれる同じ様な取付け受容手段を、付属品収納組立体の下側に構築し、連結プラグまたは連結手段を適合させることにより、簡単に達成することが出来る。
【００６４】
図１８は、アダプタ組立体の代替配置を示す斜視図で、この場合、アダプタ組立体（１８−１）は、握り（１８−３）を含んで形成される囲いと基板要素（１８−２）を含む。基板及び囲いは、ジョイント又は蝶番手段（１８−４）を用いて連結される。図は一例として、囲いが基板から上に旋回して、投写画像の高さを調節する様子を示す。図１２に示すものと同様の広角アダプタレンズ（１８−５）を、アダプタ組立体に取付けることができる。
【００６５】
図１８を参照して記述する配置には、密封型視覚表示装置が含まれる。しかし、投写画像高さ調節用基板要素（１８−２）もまた同様に、例えば図７及び８の実施例と共に、本発明を用いることが出来る。同様に、折畳み式投写画像スクリーンを、図１９を参照して記述するように、本発明にしたがうアダプタ内に組込むことが出来る。
【００６６】
図１９は、図１８のそれと同様の構成を示す斜視図であって、この場合は、アダプタ組立体（１９−１）が、アダプタ組立体の上を超えて投写画像を後ろに矢印で示す方向に反射する鏡（１９−２）を含む。この特殊構成は、投写機からスクリーンまでの距離が小さくなり、鏡もまた（運搬のため閉じられるとき）自動投写レンズ保護に近い働きをする、など幾つかの利点を示す。光路もまた、テーブル上の一般的障害物の上方に上がり、キーストーン調節（通常は長方形の画像が上で広くなり台形に変形した画像が生じる好ましくない影響）の必要を軽減する。
【００６７】
図１９はまた、アダプタ組立体の基板（１９−３）が、別の付属品収納組立体（１９−４）に取付けられる別の手段を示す。収納は、開放囲い（１９−５）の形で、音響システム用スピーカ又は信号及び／又は電力ケーブル（示さず）などの付属品を運ぶ。更に、図１３乃至１７に示すような付属品収納組立体の原理は、アダプタ組立体の基板に対する付属品収納の同じような取付けにおいても適用されることは認められるであろう（図２３の例を参照）。
【００６８】
図２０は、図１８又は１９の実施例と同様の構成の側面図であって、アダプタ組立体が、蝶番手段を用いて取付けられる２つの開放部品となっており、上方部分（２０−１）は投写装置（２０−２）を含み、蝶番手段を用いてその下方部分（２０−３）に取付けられる。この実施例は、投写装置の通気が改善されるとの利点を示し、必要があれば簡単な機構を用いて投写装置をアダプタ組立体から出す又は離す（しかし物理的及び電気的には取付けたまま−示さず）ことにより更にこれを改善することが出来る。
【００６９】
図２０はまた、操作可能な位置での鏡要素（２０−４）を示し  運搬時にレンズを保護するため（明確にするための機構は示さない）後退させても良い。そして反射投写画像（２０−５）の光路は  スクリーンの方向に指向されている。
【００７０】
図２１は、図１９及び２０のそれと同様の実施例の側面図であって、アダプタ組立体（２１−１）及びその基板（２１−２）は、蓋体（２１−４）付きの上述の追加付属品収納組立体（２１−３）に上方に取付けることができる。蓋を開かないで示すこの追加付属品収納組立体には付属品を収容することができる。このような付属品の例には、共通取付け具と蝶番点（２１−５）を用いてアダプタ組立体に取付ける折畳み式投写スクリーンが含まれる。
【００７１】
図２２は、図２１に示す実施例の追加側面図であって、アダプタ組立体（２２−１）は取付けたままであるが、ここでは開口形態、背面投写スクリーン装置となっている。スクリーン収納組立体（２２−２）、は上向きに旋回して、鏡要素を含むその蓋体（２２−３）を開き、投写画像光路（２２−４）−点線で示す−を枠組立体（２２−５）内で支持されるスクリーン上に反射する。このスクリーンは、自動的に開閉し、背面投写を使用するため、殆ど全部の照明状態に適する。これはまた、スクリーンの入手可能性への依存をなくし、投写装置の調節がなくなるので、装置はユーザの労力を全く費やすことなく数秒で作動状態になる。
【００７２】
図２３は、図２２のそれと同様の好適実施例の斜視図であって、アダプタ組立体（２３−１）が開いて傾いており、背面投写組立体（２３−２）を開いてスクリーン（２３−３）の使用準備を整えている。ビデオ会議付属品収納組立体（２３−４）がアダプタ組立体の基板の下に取付けられ、図１９の付属品収納部もまた取付けられており、音響システムを収容する。マイクロホン（２３−５）とカメラ（２３−６）は、ビデオ会議付属品収納組立体の引出から取出されて（引出は再び閉じた状態を示す）作動準備が整っている。このような方法で、完全で本格的なビデオ会議システムを、一般的なアタッシュケースより大きくないケースに入れて運搬することができる。
【００７３】
前図７乃至２３において、視覚画像又は投写装置は既存の市販投写機であることが認められるであろう。この視覚画像が更に上述の市販投写装置に対する任意の部品、ケース、囲い、拡張及び付属品を含むことは、本出願書に記述するようなアダプタ組立体のための適切な受入れ取付け手段から構築されることに言及しなければならない。
【００７４】
前述の市販投写機に対する部品、ケース、囲い、拡張又は付属品が、部分的又は全体的に、図７乃至２３を参照して記述するようなアダプタ組立体として構築又は構成されるとき、当該処理は本発明の具体化であると見なされることにも更に言及する。
【００７５】
ここに意図する特許請求の範囲内で、各種の変更及び改善がなされるであろう。
【図面の簡単な説明】
【００７６】
【図１】従来の携帯投写装置を用いてプレゼンテーションを実行する前に、搬入して準備する必要のある一般的装置を示す斜視図である。
【図２】標準的な室内に準備しプレゼンテーション実行する用意の整った従来の装置を示す斜視図である。
【図３】便利な「アタッシュケース」として、さらに好ましいプレゼンテーションの範囲に含まれる投写装置を示す斜視図である。
【図４】アタッシュケースの形で考えうる対策が、プレゼンテーションと視覚表示のための場所間の運搬が如何に容易に出来るかを示す斜視図である。
【図５】このような好適解決手法がプレゼンテーションの際に如何に機能するかの例を示す斜視図である。
【図６】好適解決手法の別の例を示す斜視図であって、折畳み式スクリーンを展開して大型モニタと同様の視覚表示を与えている。
【図７】投写装置の取付けを可能にする取付け位置のある枠にケーブルを加えた形のアダプタ組立体としての、本発明による簡単な実施例を例示した斜視図である。
【図８】前図と同様の斜視図であり、アダプタ組立体の枠は広がっており、付属品  −  この場合は電力ケーブルと信号ケーブル  −  のために開放可能な囲いとして機能する。さらに下に示した付属品収納皿は、一部はアダプタ枠に一部は投写機に取付けられる。
【図９】投写装置を囲み、付属品を納めることもあるケースを含む視覚表示装置を示す斜視図である。この図は、本発明の実施例とは見なされないが、明確にするため掲載する。
【図１０】図９に示すような視覚表示装置及び、媒体ソースなど別の付属品を持ち運べる図８と同様の更なるアダプタ組立体を示す斜視図である。
【図１１】図８と同様で形状が「Ｌ」型のアダプタを示す斜視図である。このアダプタは、それぞれが異なる付属品又は媒体装置を構成又は収納するモジュールを収容できる１つ以上の内側容器を含むことが出来る。
【図１２】図１１に記述したようなアダプタ（１２−１）を示す斜視図である。このアダプタは、付属品又は媒体装置（１２−２）を、滑走機構（１２−４）の上に取付けられた１部又は全体を引出せる引出（１２−３）の中に収容することが出来る。付属品、媒体及び／又は引出自体は、入れ換えることが出来る。
【図１３】下部に取付ける大型付属品収納組立体の形のアダプタを有する視覚表示装置を示す斜視図である。
【図１４】付属品収納装置には、ユーザが容易に引出してその内容物に手が届く引出状要素を更に含めることが出来る様子を示す斜視図である。
【図１５】前図と同様の同じ斜視図で、引出要素のみを示しており、ラップトップ型コンピュータを接続ケーブルと共に収納することが出来る様子を示す。
【図１６】前図と同様の斜視図であって、ＤＶＤプレーヤと音響システムを収容する別の引出要素を示す。
【図１７】前図と同様の斜視図であって、ビデオ会議システムを収容する別の引出要素を示す。
【図１８】別の構成を示す斜視図であって、アダプタ組立体が、持運び用取っ手の付いた基板を含み、投写装置を傾斜させることが出来る。
【図１９】同様の構成を示す斜視図であって、アダプタ組立体が、アダプタ組立体の基板に取付けられるモジュール及び、装置の上を超えて画像光路を反射するのに用いる鏡を含む。
【図２０】鏡を装着した同様の構成を示す側面図である。
【図２１】同様の構成を示す側面図であって、折畳み式スクリーン装置を含むモジュールが取付けられている。
【図２２】同様の構成を示す側面図であって、ここでは、背面投写スクリーンとして機能させるため、展開された折畳み式スクリーンモジュールを示している。
【図２３】背面投写スクリーンとして機能し、基板の下に取付けられたビデオ会議モジュールも有する同様の構成を示す斜視図である。
【図１】
2005517986.tif 000003
【図２】
2005517986.tif 000004
【図３】
2005517986.tif 000005
【図４】
2005517986.tif 000006
【図５】
2005517986.tif 000007
【図６】
2005517986.tif 000008
【図７】
2005517986.tif 000009
【図８】
2005517986.tif 000010
【図９】
2005517986.tif 000011
【図１０】
2005517986.tif 000012
【図１１】
2005517986.tif 000013
【図１２】
2005517986.tif 000014
【図１３】
2005517986.tif 000015
【図１４】
2005517986.tif 000016
【図１５】
2005517986.tif 000017
【図１６】
2005517986.tif 000018
【図１７】
2005517986.tif 000019
【図１８】
2005517986.tif 000020
【図１９】
2005517986.tif 000021
【図２０】
2005517986.tif 000022
【図２１】
2005517986.tif 000023
【図２２】
2005517986.tif 000024
【図２３】
2005517986.tif 000025
【手続補正書】
【提出日】平成16年2月9日(2004.2.9)
【手続補正１】
【補正対象書類名】特許請求の範囲
【補正対象項目名】請求項１
【補正方法】変更
【補正の内容】
【請求項１】
投写装置を有する視覚表示装置に取付けるためのアダプタであって、
−アダプタ外部に設けられた取付け手段であって、アダプタを視覚表示装置に取付けることを可能にするよう構成された取付け手段と、
−視覚表示、投写、又はプレゼンテーションの目的のため必要な付属品を運搬及び／又は取付け出来るよう構成された付属品収納手段と、
−付属品に対する視覚表示装置の接続を可能にして、それによりデータ、ビデオ、又はその他の画像信号をアダプタを介して付属品から視覚表示装置に接続することを可能にするよう構成された信号接続手段とを含むアダプタ。
【手続補正２】
【補正対象書類名】特許請求の範囲
【補正対象項目名】請求項２
【補正方法】変更
【補正の内容】
【請求項２】
信号接続手段が、電気接点の配列である請求項１に記載のアダプタ。
【国際調査報告】
2005517986.tif 000026
2005517986.tif 000027
2005517986.tif 000028